(57)【要約】【課題】幼児が食事をする際に、こぼれ落ちる残飯を受け止め、幼児の身体だけでなく、幼児が座る椅子、また椅子周辺の床を残飯より保護する幼児用食事ケープを提供する。【解決手段】任意素材にて所定長所定幅のケープ本体を形成し、ケープ本体背面上部の頸部当接部と中間部に結び紐を設け、ケープ本体側面上部に袖部を形成するとともに、ケープ本体前面下方適所に穴隙部を設け、ケープ本体下部に敷物を一体に設け、ケープ本体下部接続部に連続して起立シートを設けたことを特徴とする。【選択図】  図５
2005042275.tif 000002
【特許請求の範囲】
【請求項１】
シート材にて所定長所定幅のケープを形成し、ケープ本体背面上部頸部当接部と中間部に結び紐を設け、ケープ本体側面上部に袖部を形成し、ケープ本体下部に敷物を一体に設けたことを特徴とする幼児用食事ケープ。
【請求項２】
ケープ本体とケープ本体下部の敷物との接続部本体側に起立シートを連続して設けたことを特徴とする請求項１記載の幼児用食事ケープ。
【発明の詳細な説明】
【発明の詳細な説明】
【技術分野】
【０００１】  この発明は、幼児が食事をする際に、こぼれ落ちる残飯を受け止めるもので、幼児の身体だけでなく、幼児が座る椅子、また椅子周辺の床まで受け止める事ができる幼児用食事ケープに関する。
【背景技術】
【０００２】  従来より、幼児が食事をする際に、こぼれ落ちる残飯を受け止めるいわゆる幼児用エプロンは存在するが、幼児が単独で食事練習をする際は、広範囲にわたって残飯を落とすので、現在存在するエプロンでは残飯を受け止める範囲が狭く、床への落下を防ぎきれず、用を無さないものであった。本発明にて示すように、幼児の身体だけでなく、幼児が座る椅子、また椅子周辺の床に落下する残飯を受け止める事ができる幼児用食事ケープは現在のところ見当たらない。
【発明が解決しようとする課題】
【０００３】幼児の食事は、成長とともに母乳や粉ミルクから離乳食そして幼児食へと段階をおっていく。離乳食はドロドロ状の初期から始まり、食材はだんだんと固く大きくなり、中期、後期へと移行していく。後期から完了期へ移行する頃、幼児には自分自身で食べる練習が必要になってくる。しかし食べ物を掴むのもままならない幼児は、あちこちに食べ物をまき散らすこととなる。食事後は幼児の体は残飯によってべたつき、その範囲は座っていた椅子や床にまで達する。日本人の主食は米なので、残飯をきれいにかき集めるのは至難の業であり、時間も相当かかることとなる。よって、離乳食後期より幼児自身で食べる練習をする必要があるにも関わらず、以上の問題によって練習をさせないケースが増え、きちんとした食生活をおくれない幼児が増えている。    本発明は、以上のような従来からの幼児の食事練習に関する課題や、食事後の清掃に関する問題を解決するために発明されたもので、幼児の体だけでなく、幼児が座る椅子、また椅子周辺の床まで残飯を受け止める事ができる新規な用具を提供することを目的として開発されたものである。
【課題を解決するための手段】
【０００４】  課題を解決する手段として本発明は、所定長所定幅のケープ本体に頸部当接部、結び紐、袖部、敷物部、穴隙部、起立シートを各々設け、ケープ本体が幼児の身体、椅子、床を覆うように主要部を構成した。  すなわち、任意素材にて所定長所定幅のケープ本体を形成し、ケープ本体背面上部の頸部当接部と中間部に結び紐を設け、ケープ本体側面上部に袖部を形成するとともに、ケープ本体前面下方適所に穴隙部を設け、ケープ本体下部に敷物を一体に設け、ケープ本体下部接続部に連続して起立シートを設けた。本発明は以上の構成よりなる幼児用食事ケープである。
【発明を実施するための最良の形態】
【０００５】  本発明を使用するには、まずケープ本体側面上部に設けられた袖に幼児の腕を通し、ケープ本体背面上部の頸部当接部に縫着された結び紐を頸部後方で結んで係止させ椅子に座らせる。そして、ケープ本体を椅子を覆うように位置させ、ケープ本体背面中間部に設けられた結び紐を椅子の背面で結び、係止させる。さらに、ケープ本体下部に一体に設けられた敷物を、椅子を囲むように床に位置させる。そして、幼児に食事をさせる。  ケープ本体と幼児の身体はケープ本体背面上部の頸部当接部と中間部に設けられた結び紐にて密接しているのでケープの形状は安定保持される。  また、ケープ本体と敷物は一体になっており、なおかつ、椅子全体を覆うように構成しているので、残飯による椅子や幼児の身体を汚す可能性を極小としている。また、ケープ本体下部接続部に連続して起立シートを設けたので、汁物等をこぼした際等は、起立シートと本体の空隙部で受け止めることが可能となり、床面に流れ落ちる可能性を極小とすることができる。  また、幼児用椅子に落下防止用とテーブル固定を兼ねたベルトが設けられたものがあるが、ケープ本体前面下方適所に穴隙部を設けたのでベルトを通すことが可能であり、その使用を妨げることがない。  また、幼児用椅子にはテーブルを装着できるものとそうでないものがあるが、ケープ本体背面は結び紐のみの構成になっているので、テーブルを使用する事ができる。  ケープ本体は防水加工布できているため、汚れが拭き取りやすく、汁物などが染み込む可能性を極小とする事が出来る。
【実施例】
【０００６】  以下、本発明の実施例について説明する。  図において、１は防水加工が施された生地で形成されたケープ本体である。２は頸部当接部である。３は頸部に係止させるための結び紐であり、頸部当接部に縫着されていて、頸部後方で結ぶことで係止される。４は袖部である。５はケープ本体背面中間部に縫着された結び紐であり椅子背面で係止させ、椅子と幼児を密接させ、ケープ本体の安定を保持させる役割を担う。６はケープ本体前面下方適所に設けられた穴隙部で、落下防止用ベルトが設けられた椅子を使用する際にベルトを通すことを可能とした。７はケープ本体下部接続部に連続して設けられた起立シートであり、汁物等受け止めることを可能とし、床面に流れ落ちる可能性を極小とすることが出来る。８はケープ本体に一体に設けられた敷物である。  以上が本発明の１実施例である。  本発明の概要については既述したが、本例では防水加工布にてケープ本体を形成しているため汚れが拭き取りやすく、汁物などが染み込む可能性を極小とする事が出来る。また、ケープ本体と一体に敷物を設けたので、床面に落下した残飯も同時に受け止める事ができ、床を汚すこともなく、食事後の清掃を容易に行うことができる。また、係止手段は、ケープ本体背面上部の頸部当接部の結び紐と中間部の結び紐のみで行うのでその着脱も容易である。【０００７】  本発明は、幼児の身体、椅子、床を全部覆い隠すところにその特徴がある。  全体を覆い隠すことにより、食事後の清掃が容易に行えるようになり、床や椅子の汚れを防止することができる。  従来のように、保護者が幼児に食事を食べさせる場合では現在存在する幼児用エプロンでも用が足りるが、幼児に単独で食事の練習を行う場合、食べ物は辺りへ飛び散り、従来のエプロンでは小さすぎるため、幼児自身の身体に残飯が付着し、椅子は汚れ、床面の残飯を受け止める事ができない。そのために本発明では幼児の身体、椅子、床面を覆う構造としたのである。  なお、本発明では防水加工を施した生地としているが、近似の他の素材によるケープ本体としてもよい。また、係止手段は本例で用いた結び紐以外にボタン、ホック等を用いてもよい。また、ケープ本体下部の起立シートは本例では下部としたが、他の場所でも良い。また、本例では袖部を設けたが長袖、半袖またノースリーブでもよい。  また、本例では、背の低い幼児椅子の対応例を示したが、ケープ本体の長さを変えることにより、背の高い幼児椅子へも対応が可能である。  以上のごとく、本発明によって幼児が食事をする際に、幼児の身体、椅子、周辺の床を残飯から保護する事が出来、かつ落下した残飯を１度に集める事を可能とする幼児用食事ケープを得ることができる。
【発明の効果】
【０００８】  本発明によれば、幼児の身体と椅子を残飯から保護することとなり、さらにケープ本体下部接続部に連続して起立シートを設けたことにより汁物も受け止めることを可能とし、さらに床面を汚す可能性を極小とする事ができる有用なる幼児用食事ケープを提供することができる。
【図面の簡単な説明】
【図１】本発明の平面図
【図２】本発明の正面図
【図３】本発明の右側面図
【図４】Ａ−Ａ断面図
【図５】本発明の使用状態正面図（背の低い幼児椅子使用時）
【図６】本発明の使用状態側面図（背の低い幼児椅子使用時）
【図７】本発明の使用状態斜め後方図（背の低い幼児椅子使用時）
【図８】本発明の他例使用状態図（背の高い幼児椅子使用時）
【符号の説明】
１    ケープ本体  ２    頸部当接部  ３    紐  ４    袖部  ５    結び紐  ６    穴隙部  ７    起立シート  ８    敷物
【図１】
2005042275.tif 000003
【図２】
2005042275.tif 000004
【図３】
2005042275.tif 000005
【図４】
2005042275.tif 000006
【図５】
2005042275.tif 000007
【図６】
2005042275.tif 000008
【図７】
2005042275.tif 000009
【図８】
2005042275.tif 000010